(57)【要約】【課題】安価で、かつ、既存の戸袋から出し入れされる戸に容易に適用することができる戸の振動防止具を提供することを課題とする。【解決手段】弾性材料によって形成され、断面が略Ｖ字状で所定長さを有する振動防止具本体１１を備え、この振動防止具本体の両端部と頂部との何れか一方が、引き出された状態の戸４の表面に当接させられ、他方が戸袋１の開口部１ａの内縁に当接させられるようになされていることを特徴とする。【選択図】図２
0003219390.tif 000002
【実用新案登録請求の範囲】
【請求項１】
戸袋に形成されている開口部から引き出されて用いられる戸の振動を防止するようにした振動防止具であって、弾性材料によって形成され、断面が略Ｖ字状で所定長さを有する振動防止具本体を備え、この振動防止具本体の両端部と頂部との何れか一方が、引き出された状態の前記戸の表面に当接させられ、他方が前記戸袋の開口部の内縁に当接させられるようになされていることを特徴とする戸の振動防止具。
【請求項２】
前記振動防止具本体の複数を相互に連結紐によって連結してなることを特徴とする請求項１に記載の戸の振動防止具。
【請求項３】
前記弾性材料がウレタン樹脂であることを特徴とする請求項１または請求項２に記載の戸の振動防止具。
【請求項４】
前記弾性材料がポリウレタンフォームであることを特徴とする請求項１または請求項２に記載の戸の振動防止具。
【考案の詳細な説明】
【技術分野】
【０００１】
本考案は、戸の振動防止具に係わり、特に、戸袋から出し入れされて用いられる戸の振動を防止するのに好適な戸の振動防止具に関する。
【背景技術】
【０００２】
一般に、戸袋に出し入れ可能に収納された戸、たとえば雨戸は、その出し入れの際に、前記開口部の上下に配置されたガイドに案内されつつ移動させられるようになっている。
【０００３】
ところで、このようにガイドに沿って案内される戸にあっては、戸とガイドとの間に隙間があるために、風などが当たると振動してしまう。
このような振動は、特に雨風の浸入防止のために設置される雨戸において顕著に現われる。
【０００４】
このような戸の振動を抑制する技術が、たとえば特許文献１に示されている。
この技術は、複数の戸の当接部分に、これらの戸によって挟持された際に戸の表面に突出する振動防止部材を配置し、この突出した部分を前記ガイドの内面に当接されることにより戸の振動を防止するようにしている。
【先行技術文献】
【特許文献】
【０００５】
【特許文献１】特開昭５２−３００３７公報
【考案の概要】
【考案が解決しようとする課題】
【０００６】
前述した従来の技術にあっては、前記振動防止部材を戸の内部に組み込む構造となっていることから戸に加工を施す必要があり、独自の戸の構造としなければならない。
【０００７】
したがって、既存の戸の振動を防止することができず、かつ、振動防止を行なうための費用が嵩んでしまう。
【０００８】
また、前記振動防止部材が何らかの原因で、突出した状態に保持されることが想定され、これらの戸を重ね合わせた場合、振動防止部材の突出部分の分、重ね合わせた際の厚みが増加する
【０００９】
そして、前述した従来の振動防止構造を、戸袋から出し入れされて用いられる戸に適用した場合、前記戸は、戸袋に重ね合わせた状態で収納されるが、収納状態において重ね合わせた際の厚みが増加すると、戸袋の収納容積を大きくしなければならない。
したがって、振動防止を行なうために要する費用が嵩んでしまう。
【００１０】
本考案は、前述した従来の技術において残されている不具合を解決せんとしてなされたもので、安価で、かつ、既存の戸袋から出し入れされる戸に容易に適用することができる戸の振動防止具を提供することを解決すべき課題とする。
【課題を解決するための手段】
【００１１】
本考案の戸の振動防止具は、前述した課題を解決するために、戸袋に形成されている開口部から引き出されて用いられる戸の振動を防止するようにした振動防止具であって、弾性材料によって形成され、断面が略Ｖ字状で所定長さを有する振動防止具本体を備え、この振動防止具本体の両端部と頂部との何れか一方が、引き出された状態の前記戸の表面に当接させられ、他方が前記戸袋の開口部の内縁に当接させられるようになされていることを特徴とする。
【００１２】
このような構成とすることにより、前記戸が、振動防止具を介して戸袋の開口部の内縁によって支持されるとともに、振動防止具の弾性によってその面と直交する方向に押圧される。
【００１３】
ここで、通常、戸はガイドによって案内されつつ移動させられる構成となっていることから、前述した押圧により、戸がガイドに圧接させられる。
これによって、ガイドと戸との隙間が無くなり、戸の振動が防止される。
【００１４】
このように、戸と戸袋の開口部内縁との間に前記振動防止具本体を差し込むだけで戸の振動を防止することができるので、戸や戸袋に何ら加工を施す必要がない。
かつ、振動防止具本体は、樹脂成形等により安価に製造することができる。
【００１５】
したがって、戸の振動防止を安価な費用で行なうことができるとともに、既存の戸袋収納形式の戸へ容易に適用することができる。
【００１６】
一方、前記振動防止具本体を複数用いることが好ましい。
複数の振動防止具本体を戸の面方向に間隔をおいて設置することにより、単独の振動防止具本体を中心点とした戸の回動が防止され、これによって振動抑制効果が高められる。
【００１７】
そして、前記複数の振動防止具本体を相互に連結紐によって連結しておくことが好ましい。
これによって、振動防止具本体を単独で用いる場合に比して、これらを紛失してしまうことを防止する効果が高められる。
【００１８】
そして、前記弾性材料は、ウレタン樹脂、ポリウレタンフォーム等が用いられる。
【考案の効果】
【００１９】
本考案の戸の振動防止具によれば、振動抑制を行なうための必要経費を抑制しつつ、既存設備へ容易に適用することができる。
【図面の簡単な説明】
【００２０】
【図１】本考案の一実施形態が適用された戸袋収納型の戸を示すもので、建物の外部から見た斜視図である。
【図２】本考案の一実施形態が適用された戸袋収納型の戸を示すもので、建物の内部から見た斜視図である。
【図３】本考案の一実施形態を示す拡大斜視図である。
【図４】本考案の他の実施形態を示す斜視図である。
【考案を実施するための形態】
【００２１】
以下、本考案の一実施形態を図１ないし図４を参照して説明する。
まず、図１を参照して、戸袋収納型の戸について説明する。
図１において符号１は戸袋を示し、建物Ｂの外壁で、この建物Ｂに形成されている開口部Ｗの側部に設置されている。
【００２２】
そして、戸袋１の、建物Ｂの開口部Ｗ側には、開口部１ａが形成されており、この開口部１ａの上端部および下端部に、前記建物Ｂの開口部Ｗの上縁と下縁に沿って配置された上部ガイド２および下部ガイド３が位置させられている。
【００２３】
前記戸袋１内には、前記開口部Ｗを覆いかつ開放する戸４が重ね合わせの状態で収納されるようになっている。
【００２４】
そして、前記戸４は、１枚ずつ戸袋１の開口部１ａから引き出されて、前記上部ガイド２と下部ガイド３によって上下を案内されつつ、前記建物Ｂの開口部Ｗに外側から重畳させられるようになっている。
【００２５】
ついで、本実施形態に係わる振動防止具について、図３を参照して説明する。
この図において符号１０で示す振動防止具は、断面が略Ｖ字状で所定長さを有する振動防止具本体１１を有している。
【００２６】
前記振動防止具本体１１は、離間された両端部が第１接触部１１ａとなされ、その中間の頂部が第２接触部１１ｂとなされている。
【００２７】
そして、振動防止具本体１１は、ウレタン樹脂やウレタンフォームを成形することによって形成されており、適度な弾性を有している。
【００２８】
このように形成された本実施形態の振動防止具１０（振動防止具本体１１）は、図２に示すように、戸袋１から引き出された戸４と、戸袋１の開口部１ａの内縁との間に、その弾性を利用して挿入される。
図示例では、上下に離間した２位置に挿入されている。
【００２９】
このように戸袋１の開口部１ａの内縁との間に振動防止具１０（振動防止具本体１１）を挿入した状態において、各振動防止具１０（振動防止具本体１１）の一対の第１接触部１１ａが前記戸４の室内側の面に当接させられ、また、第２接触部１１ｂが戸袋１の開口部１ａの内縁に当接させられる。
【００３０】
この状態において、前記戸４が、振動防止具１０（振動防止具本体１１）を介して戸袋１の開口部１ａの内縁によって支持されるとともに、振動防止具１０（振動防止具本体１１）の弾性によってその面と直交する方向に押圧される。
【００３１】
さらに、前述した押圧により、戸４が上部ガイド２および下部ガイド３に圧接させられる。
これによって、両ガイド２・３と戸４との隙間が無くなり、戸の振動が防止される。
【００３２】
このように、戸４と戸袋１の開口部１ａの内縁との間に前記振動防止具本体１１を差し込むだけで４戸の振動を防止することができるので、戸４や戸袋１に何ら加工を施すことなく、戸４の振動を防止することができる。
かつ、振動防止具本体１１は、樹脂成形等により安価に製造することができるので、戸４の振動防止を安価な費用で行なうことができるとともに、既存の戸袋収納形式の戸４へ容易に適用することができる。
【００３３】
さらに、本実施形態においては、前記振動防止具本体１１を複数用い、これらの振動防止具本体１１を戸４の面方向に間隔をおいて設置している。
【００３４】
これによって、個々の振動防止具本体１１を中心点として戸４が回動することを防止して振動抑制効果を高めることができる。
【００３５】
なお、前記実施形態において示した振動防止具本体１１の材質や形状、あるいは、使用形態は一例であって、適用する戸袋１や戸４の形状や収納形態等に基づき種々変更可能である。
【００３６】
たとえば、図４に示すように、前記複数の振動防止具本体１１を相互に連結紐２０によって連結して振動防止具２１を構成することができる。
これによって、振動防止具本体１１を単独で用いる場合に比して、これらを紛失してしまうことを防止する効果を得ることができる。
【符号の説明】
【００３７】
１  戸袋
１ａ  開口部
２  上部ガイド
３  下部ガイド
４  戸
１０  振動防止具
１１  振動防止具本体
１１ａ  第１接触部
１１ｂ  第２接触部
２０  連結紐
２１  振動防止具
Ｂ  建物
Ｗ  開口部
【図１】
0003219390.tif 000003
【図２】
0003219390.tif 000004
【図３】
0003219390.tif 000005
【図４】
0003219390.tif 000006